(57)【要約】【課題】　イオン水生成装置本体の買い足しに際して、現在使用している浄水器具への制約が少なく、施工が容易で、使い勝手の良いイオン水生成装置を提供することを目的とする。【解決手段】　浄水を吐水する水栓から得られる浄水を電解槽で電気分解してイオン水を生成するイオン水生成装置であって、イオン水生成装置本体は、前記水栓から浄水を供給する浄水供給管と、イオン水生成装置本体からイオン水を供給するイオン水供給管とを備え、前記浄水供給管と前記イオン水供給管を連通する内部管路の途中に前記電解槽を設けてなり、前記水栓に接続可能で、前記水栓の浄水管路に連通する浄水通路を設けたアダプタに、前記浄水供給管の一端を前記浄水通路に連通するように接続し、前記イオン水供給管は、その先端に吐水口を設けた。【選択図】　図５
2004114035.tif 000002
【特許請求の範囲】
【請求項１】
浄水を吐出する水栓から得られる浄水を電解槽で電気分解してイオン水を生成するイオン水生成装置であって、
イオン水生成装置は、前記電解槽を内蔵するイオン水生成装置本体と、前記水栓から前記イオン水生成装置本体に浄水を供給する浄水供給管と、イオン水生成装置本体からイオン水を供給するイオン水供給管とを備え、前記浄水供給管と前記イオン水供給管を連通する内部管路の途中に前記電解槽を設けてなり、
前記水栓に接続可能で、前記水栓の浄水管路に連通する浄水通路を設けたアダプタに、前記浄水供給管の一端を前記浄水通路に連通するように接続し、
前記イオン水供給管は、その先端に吐水口を設けたことを特徴とするイオン水生成装置。
【請求項２】
浄水を吐出する水栓から得られる浄水を電解槽で電気分解してイオン水を生成するイオン水生成装置であって、
イオン水生成装置は、前記電解槽を内蔵するイオン水生成装置本体と、前記水栓から前記イオン水生成装置本体に浄水を供給する浄水供給管と、イオン水生成装置本体からイオン水を供給するイオン水供給管とを備え、前記浄水供給管と前記イオン水供給管を連通する内部管路の途中に前記電解槽を設けてなり、
前記水栓に接続可能で、前記水栓の浄水管路に連通する浄水通路を設けたアダプタに、前記浄水供給管の一端を前記浄水通路に連通するように接続し、
前記アダプタに、入水口および出水口を有するイオン水通路を設け、イオン水通路の入水口に、前記イオン水供給管を接続したことを特徴とするイオン水生成装置。
【請求項３】
前記イオン水通路の出水口を吐水口としたことを特徴とする請求項２に記載のイオン水生成装置。
【請求項４】
前記イオン水通路の出水口に、先端に吐水口を有する吐水管を接続したことを特徴とする請求項２に記載のイオン水生成装置。
【請求項５】
前記イオン水生成装置本体は、電気分解処理をしない吐水モードを有することを特徴とする請求項１乃至４に記載のイオン水生成装置。
【請求項６】
前記イオン水生成装置本体は、その本体の少なくとも３面以上を設置面として選択可能としたことを特徴とする請求項１乃至５のいずれか１つに記載のイオン水生成装置。
【請求項７】
前記イオン水生成装置本体は、薄型の箱形状をしており、この箱形状の幅狭の側面に操作部を配置し、かつ、前記設置面は、少なくとも、この操作部の有する幅狭の側面に対向する幅狭の側面と、この操作部の有する幅狭の側面に隣接する幅狭の側面と幅広の側面と、から選択してなることを特徴とする請求項６に記載の別体で設置された別体型イオン水生成装置。
【発明の詳細な説明】
【技術分野】
【０００１】
　本発明は、水を電気分解しイオン水を生成する電解槽を備えたイオン水生成器に関する。詳しくは、浄水を吐水する水栓から得られる浄水を電解槽で電気分解してイオン水を生成するイオン水生成装置に関する。
【背景技術】
【０００２】
　従来、水道水等を電気分解してアルカリイオン水と酸性水とを生成分離することを目的としたイオン水生成装置は浄水カートリッジと、カルシウムタンクと、電解槽とを直列に接続し、制御基板と共に、一体型にケーシング内に組み込んだものが一般的な構成である。係る構成にあっては、浄水器機能を司る浄水カートリッジと、電解処理機能を司るイオン水生成装置本体に大別することができる。また、イオン水生成装置の周辺システムの形態としては、シンク上にイオン水生成装置本体を設置し、既設の蛇口に分岐弁を介して接続される据置型（図１６参照）、シンク下のキャビネット内にイオン水生成装置本体を設置し、専用の水栓器具に接続されるビルトイン型（図１７参照）が一般的である。
【０００３】
　前述の様に、浄水カートリッジとイオン水生成装置を一体に構成したものに対して、両者を別体に構成する例も報告されている（例えば、特許文献１を参照のこと）。特許文献１では、両者を別体に構成する効果として、ビルトイン型におけるメンテナンス性の向上を挙げている。
【０００４】
【特許文献１】実用新案登録第２６０１４１５号
【発明の開示】
【発明が解決しようとする課題】
【０００５】
　前述の通り、浄水カートリッジとイオン水生成装置本体を別体に構成したイオン水生成装置においては、前述の効果の通り、浄水カートリッジ単独としても使用が可能である、イオン水生成装置本体の買い足しでイオン水生成装置にステップアップができる、個別のメンテナンスができるといった効果があるが、別体の特徴を十分に活かしきれていないという解決すべき課題を有していた。
【０００６】
　まず、特許文献１のイオン水生成器においては、浄水カートリッジ及びイオン水生成装置本体がシンク下に位置するビルトイン型に構成されている。ビルトイン型は先に述べたように、専用の水栓器具に接続されて使用される。係る構成において、浄水器単独としての使用は問題ないが、電解ユニットの買い足しを考えた場合、排水処理が問題となる。イオン水生成装置の電解処理によりアルカリイオン水を得ようとする場合、排水という副産物が発生する。この買い足しにより発生した排水を、特許文献１の様に、予め設けられたシンク下の排水管の接続口に接続する、あるいは、シンク上に別途排水管を設けなければならず、イオン水生成装置へのステップアップを当初から予測して配水管を準備しておかなければならない、あるいは、ステップアップ時に配水管設置のための穴加工をシンクに施す等の施工工事が必要であった。
【０００７】
そこで、本発明では上記の問題点を解決するため、イオン水生成装置本体の買い足しに際して、現在使用している浄水器具への制約が少なく、施工が容易で、使い勝手の良いイオン水生成装置を提供することを目的とする。
【課題を解決するための手段】
【０００８】
　本発明の請求項１では、浄水を吐水する水栓から得られる浄水を電解槽で電気分解してイオン水を生成するイオン水生成装置であって、
イオン水生成装置本体は、前記水栓から浄水を供給する浄水供給管と、イオン水生成装置本体からイオン水を供給するイオン水供給管とを備え、前記浄水供給管と前記イオン水供給管を連通する内部管路の途中に前記電解槽を設けてなり、
前記水栓に接続可能で、前記水栓の浄水管路に連通する浄水通路を設けたアダプタに、前記浄水供給管の一端を前記浄水通路に連通するように接続し、
前記イオン水供給管は、その先端に吐水口を設けたことをした。
【０００９】
　これにより、現在の浄水器を利用して、容易にイオン水生成装置にステップアップすることができる。アダプタの取付けは、流し台上部で実施することができるため施工が容易である。
【００１０】
　本発明の請求項２では、浄水を吐水する水栓から得られる浄水を電解槽で電気分解してイオン水を生成するイオン水生成装置であって、
イオン水生成装置本体は、前記水栓から浄水を供給する浄水供給管と、イオン水生成装置本体からイオン水を供給するイオン水供給管とを備え、前記浄水供給管と前記イオン水供給管を連通する内部管路の途中に前記電解槽を設けてなり、
前記水栓に接続可能で、前記水栓の浄水管路に連通する浄水通路を設けたアダプタに、前記浄水供給管の一端を前記浄水通路に連通するように接続し、
前記アダプタに、入水口および出水口を有するイオン水通路を設け、イオン水通路の入水口に、前記イオン水供給管を接続したことを特徴とした。
【００１１】
　これにより、現在の浄水器を利用して、容易にイオン水生成装置にステップアップすることができる。アダプタの取付けは、流し台上部で実施することができるため施工が容易である。また、ステップアップの前後でイオン水の出水口の位置が変化しないので従前と同じ位置にイオン水を吐水することができる。
【００１２】
　本発明の請求項３では、前記イオン水通路の出水口を吐水口としたことを特徴とした。
【００１３】
　これにより、既存の浄水器の吐水管を外すことなく、アダプタを取り付けることだけで、イオン水を従前と同じ位置に吐水することができる。
【００１４】
　本発明の請求項４では、前記イオン水通路の出水口に、先端に吐水口を有する吐水管を接続したことを特徴とした。
【００１５】
　これにより、ステップアップの前後でイオン水の吐水の位置が変化しないと共に、ステップアップ前の吐水管を有効利用することができる。
【００１６】
　前記イオン水生成装置本体は、電気分解処理をしない吐水モードを有することとした。
【００１７】
　これにより、ステップアップを施した後でも、切替機構なしで、イオン水と浄水の両方を吐水モードを選択するだけで、利用することができる。
【００１８】
　本発明の請求項５では、前記イオン水生成装置本体は、その本体の少なくとも３面以上を設置面として選択可能とした。
【００１９】
　これにより、使用者の台所事情に合わせて、使用者自身が選択して設置場所を決めて、電解ユニットを好きな向きに配置することができる。
【００２０】
　本発明の請求項６では、前記イオン水生成装置本体は、薄型の箱形状をしており、この箱形状の幅狭の側面に操作部を配置し、かつ、前記設置面は、少なくとも、この操作部の有する幅狭の側面に対向する幅狭の側面と、この操作部の有する幅狭の側面に隣接する幅狭の側面と幅広の側面と、から選択してなることとした。
【００２１】
　これにより、いずれの側面を設置面として採用したとしても、つねに操作部を使用者側に配置することができ、操作性を損ねることはない。そのため、設置場所の制限を低減することができる。特に薄型の矩形状とし、幅狭の長手の側面に操作部を設けることで、さらに操作性を向上させることができる。
【発明の効果】
【００２２】
　本発明によれば、現在の浄水器を利用して、容易にイオン水生成装置にステップアップすることができる。つまり、浄水器からのイオン水生成装置へのステップアップが、既設の水栓器具への簡単な施工で実現することができる。アダプタの取付けは、流し台上部で実施することができるため施工が容易である。
【発明を実施するための最良の形態】
【００２３】
　以下に図面を参照して本発明をより具体的に説明する。図１、図２に本発明に利用するイオン水生成装置本体１の実施例をそれぞれ示す。このイオン水生成装置本体１は、図１２、図１３に示すように、イオン水を生成する電解槽３０、制御部３２、電源基板（トランス）３１、操作部２を内部に備えている。そして、これらのユニットは少なくとも主要部が重なり合わないようにして外装ケース内に取付けられている。
【００２４】
　また、特に図１、１２に示す向きにおいては、下方に電解槽３０を配置し、上方に制御部３２、操作部２、電源基板（トランス）３１を配置するようにしている。そして、特に最も多く使用される設置形態である図１に示す操作部が上面側に位置する向きにおいて、上下方向に対して中心位置よりも下方に重心が位置するように各ユニットを配置することが好ましい。このようにすることで設置したときに転倒し難くくなる。
【００２５】
　また、特に、このイオン水生成装置本体１は、イオン水生成装置本体１とは独立して別体に形成している浄水カートリッジ２２を利用して、原水（水道水）の異物等を除去して浄水を生成し、この浄水をこのイオン水生成器１に供給して内部に配置した電解槽３１にてイオン水を生成するようにしている。また、このイオン水生成装置本体１は、その本体の少なくとも２面以上を設置面１５、１８、１９、（２０）として選択可能とすることで、台所事情に合わせて設置形態を変えることができる。特に、イオン水生成装置本体１は、内部に浄水カートリッジを組み込んでいないため、薄型の箱形状とすることができ、さらに、幅狭の長手の側面１６に操作部２を配置している。
【００２６】
　また、設置面としては、少なくともこの操作部２を有する側面１６に対向する側面１８と、この操作部２を有する側面１６に隣接する２側面１５、１９、（２０）とから選択できるように構成することが好ましい。さらに、全側面１５、１６、１７、１８、１９、２０が平面形状にて形成されていると、いずれを設置面としてもフラットな面となるため、固定具を用いずにも安定して配置することができる。
【００２７】
　また、幅広の側面１５、２０には金属板などの荷重が加わっても変形し難い部材で形成するとよい。そうすることで、側面１５、２０が上面側に位置するようにイオン水生成装置本体１を配置した場合において、その上面に台所で使用する物を載置してもイオン水生成装置本体１本体が歪むおそれがない。また、カルシウム等の溶質を添加する添加口１３を操作部２と同一側面１６に設けている。このように操作する部位を同一側面１６に集約して設けることで、操作性がよく、さらにこの側面１６以外を設置面とすることができるため、設置形態の選択肢が増えると言える。なお、図１は、操作部２と対向する幅狭の長手の側面１８を設置面とした場合を示している。図２は、操作部２と隣接する幅狭の短手の側面１７を設置面とした場合を示している。
【００２８】
　また、図１に示すように、イオン水生成装置本体１のイオン水を使用者に供給するイオン水供給管４は、操作部２を有する側面１６に配置するとよい。具体的には、このイオン水供給管４は、斜め方向（約４５度）に突設させた突設部５にフレキシブルホース６を接続している。そして、この突設部５は３６０度回転自在に設けられている。尚、イオン水供給管４は、その先端に吐水口を設けている。
【００２９】
　また、図８では、イオン水供給管４を操作部２に隣接した幅狭の短手の側面１７に設けている。具体的には、筒状の突設部５をその側面１７に垂直に設けている。そして、この筒状の突設部５の側面にフレキシブルホース６を接続している。また、この突設部は３６０度回転自在に設けられている。この場合、設置面は操作部２を有する側面１６と対向する側面１８としている。
【００３０】
　また、イオン水生成装置本体１は、通水のための導入口７と導出口８とを少なくとも２面にそれぞれ配置し、一方の導入口７と導出口８とにそれぞれ浄水供給管１１と捨水管１２を接手１０を介して接続し、他方の導入口７と導出口８とを塞ぎ蓋９で塞ぐようにしている。側面１７に接手１０を接続しており、他の側面１５、２０には塞ぎ蓋９を設けている。従って、どの側面を設置面にするかにより、接手１０と塞ぎ蓋９とを選択して、設置位置に支障なく水の導入出力を可能にすることができる。
【００３１】
　次に、図３は、イオン水生成装置本体１の幅広の側面１５を設置面とした場合を示している。特に、出窓カウンターや対面カウンタや吊棚にイオン水生成装置本体１を設置する場合に有効である。この場合、操作部２は使用者側を向いており、操作しやすくさらに、上面がステンレスなどの金属板を設けた側面とすると、上部へ台所用の備品等の載置が可能となる。
【００３２】
　次に図４には、操作部２の表示を示している。この操作部２は、イオン水のｐＨの切替やイオン水生成器１の処理情報を表示している。アルカリイオン水、清水（浄水）、酸性水の操作ボタン３がｐＨの順に配列している。特に、使用者に分かりやすくするために、ｐＨに応じて使用する対象物を表示している。
【００３３】
　また、ランプ３ａにより何を選択しているか分かるようにしている。なお、図４（Ａ）では、図１乃至３に示すように設置形態を変えた場合においても表示が使用者に分かりやすくなるように斜めに表示している。このように操作部の表示を斜めにしていることで、３側面１８、１９、２０のどの向きにイオン水生成器１を配置しても文字が逆さまとなるようなことがなく、使用者に不快感を与えることがない。また、図４（Ｂ）と図４（Ｃ）の表示の２シートをシールとして用意しておき、設置向きに合わせていずれかを選択して貼付するようにしてもよい。
【００３４】
　次に、図５には、浄水カートリッジ２２を内蔵した浄水カートリッジ内蔵水栓２４Ａの浄水機能を利用してイオン水生成装置本体１に浄水を供給しイオン水を生成する例である。図１４及び図１５には、アダプタ２７の詳細を示す。浄水カートリッジ内蔵水栓２４Ａは、浄水カートリッジ２２及びその下流に連なる浄水管路（図示せず）を備えた水栓器具胴部２４と吐出管３７より構成されている。水栓器具胴部２４は、水道水を器具本体へ導入する配管を備え、シンク台２６Ａ上に固定される。アダプタ２７は、ほぼ同径の円筒形状で、その内部に浄水通路２７ｇとイオン水通路２７ｈが設けられ、その下端には袋ナット２７ｆを有する。イオン水生成装置本体１の取付け手順は次の通り。
【００３５】
　まず、浄水カートリッジ内蔵水栓２４Ａから吐出管３７を取り外す。次に、水栓の浄水管路に連通する浄水通路２７ｇを設けているアダプタ２７を水栓器具胴部２４に取付る。具体的には、浄水通路２７ｇを設けているアダプタ２７の接続管２７ｅを水栓器具胴部２４の浄水管路に連通させるように取付る。取付けは、アダプタ２７の袋ナット２７ｆを水栓器具胴部２４にねじ込むことにより成される。
【００３６】
　さらにアダプタ２７に吐出管３７を再び取付け、アダプタ２７のホース継手２７ａに浄水供給管１１を接続して、その浄水供給管１１の他端を継手１０を介してイオン水生成装置本体１の導入口７に接続する。イオン水生成装置本体１は、台所のシンク台２６Ａに設置され、浄水供給管１１より導入した浄水を、電気分解処理により生成されたイオン水をイオン水供給管３５より搬送し、イオン水入水口を設けたホース継手２７ｂを介して再び、アダプタ２７に導入する。
【００３７】
　さらに、イオン水出水口を設けたアダプタ２７上部の吐水管接続口２７ｄに接続された吐出管３７よりイオン水を吐水させる。このイオン水は、操作部のスイッチ操作により、アルカリイオン水、酸性水のいずれかとなる。これにより、イオン水生成装置本体１の取付け前後で、吐水位置を替えることなく使用することができる。電解処理により発生する排水はシンク２６内に吸盤で固定された捨水管１２より排出される。前述のように、特別な工事を必要とせず、浄水器からイオン水生成器へのステップアップが完了する。
【００３８】
　取替え作業はすべて、流し台上部で実施することができる。
　尚、浄水を吐出させたい場合は、イオン水生成装置本体１で電気分解処理を施さない吐水モードを選定すれば良い。この場合には、イオン水供給管４には浄水がそのまま流れる。ホース継手２７ａは回転可能な構造となっており、浄水供給管１１の引き出し方向が任意に設定できる。また、ホース継手２７ｂの対極側には塞蓋２７ｃが取付けられており、両者を交換することでイオン水供給管３５の接続方向を取り替えることも可能である。
【００３９】
　図６は、湯水混合水栓２３に浄水カートリッジ内蔵水栓２４Ａを取付けて浄水専用の吐水管３７を設けた浄水器一体型の湯水混合水栓２３の浄水機能を利用した例である。具体的には、台所の壁に設置した浄水器一体型の湯水混合水栓（壁付タイプ）２３に配置した浄水カートリッジ内蔵水栓２４Ａの吐水管３７と水栓器具胴部２４との間にアダプタ２７を介在させて、このアダプタ２７より浄水供給管１１によって分岐し浄水をイオン水生成装置本体１に供給する。
【００４０】
　そして、イオン水生成装置本体１を介在させた後、イオン水供給管３５により浄水カートリッジ内蔵水栓２４Ａに備えてある吐水管３７からアルカリイオン水、酸性水、浄水を吐水させる。このようにすることで、吐水位置はイオン水を吐水できるように機能を追加した後も、浄水器を利用していたときそのままの吐水位置とすることができる。
【００４１】
　図５、図６はいずれも、既に設置された浄水カートリッジ内蔵水栓２４Ａの吐水管をそのまま残し、アダプタ２７を介在させて連接された通水管により新設するイオン水生成装置本体１に通水させることで、既存の浄水機能をそのまま利用することができるものである。
【００４２】
　尚、上述の実施例の変形例として、吐水管３７の先端の吐水口に取付けるアダプタとすることもできる。このアダプタは、浄水通路、イオン水通路を有し、イオン水通路の下流にはシンクへの吐水口を設け、吐水管３７の先端に取付けるための取付具を具備するものである。このアダプタであれば、水栓２４Ａを分解することなくアダプタを取付けることができるので、より一層施工が簡単になるので、エンドユーザでも楽に取付けできる。　　
【００４３】
　図７は、図５と同様に、浄水カートリッジ内蔵水栓２４Ａ本体内に浄水カートリッジ２２を内蔵した浄水カートリッジ内蔵水栓２４Ａの浄水機能を利用したものである。具体的には、図５の既設の浄水カートリッジ内蔵水栓２４Ａにおいて、吐水管３７を残さず取り外し、残された水栓器具胴部２４にアダプタ２８を接続して、このアダプタ２８に浄水供給管１１を接続して、その浄水供給管１１の他端を継手１０を介してイオン水生成装置本体１の導入口７に接続する。そして、イオン水生成装置本体１のイオン水供給管４を利用してアルカリイオン水、酸性水、浄水を吐水させるものである。尚、イオン水供給管４には先端に吐水口を設けている。
【００４４】
　図８は、図６と同様に、湯水混合水栓２３に浄水カートリッジ内蔵水栓２４Ａを取付けて浄水専用の吐水管３７を設けた浄水器一体型の湯水混合水栓２３の浄水機能を利用した例である。具体的には、台所の壁に設置した浄水器一体型の湯水混合水栓（壁付タイプ）２３に配置した浄水カートリッジ内蔵水栓２４Ａの吐水管３７を取り外し、その吐水管３７の取付け部位にアダプタ２８を接続して、このアダプタ２８より浄水供給管１１によって分岐し浄水をイオン水生成装置本体１に供給する。そして、イオン水生成装置本体１にてイオン水を生成する。そして、イオン水生成装置本体１のイオン水供給管４を利用してアルカリイオン水、酸性水、浄水を吐水させるものである。尚、イオン水供給管４には先端に吐水口を設けている。
【００４５】
　つまり、図７、図８いずれも、既に設置された浄水器用の吐水管を取り外し、こそにアダプタ２７を接続して新設するイオン水生成装置本体１に通水させることで、既存の浄水機能をそのまま利用することができるものである。
【００４６】
　次に、図９は、台所のキャビネット内に浄水カートリッジ２２を収納しこの浄水カートリッジ２２とは別体に設置されたビルトイン専用水栓器具２４Ｂとから構成されるビルトイン型浄水器の浄水機能を利用した例である。具体的には、図５と同様に水栓器具胴部２４と吐水管３７との間にアダプタ２７を接続した場合である。また、図示しないが、図７と同様に吐水管３７を取り外してアダプタ２８を接続してもよい。施工手順については、図５及び図７に示す手順と同様である。
【００４７】
　また、この例では、イオン水生成装置本体１をシンクの近傍に設けているが、キャビネット内に収納してもよい。この場合は、浄水カートリッジ２２の上流側にアダプタ２８を接続してキャビネット内でイオン水生成装置本体１に浄水を供給するようにする。そして、水栓器具に再度通水管を接続させて、この水栓器具の吐水管３７からアルカリイオン水、酸性水、浄水を吐水させるようにする。なお、この場合には、水栓器具に設けられている流量調整ハンドルに連動させて止水時にはイオン水生成装置本体１の電源がオフになるようにすることが好ましい。
【００４８】
　このように浄水カートリッジを備えずに電解槽３０のみを備えたイオン水生成装置本体１として、既存もしくは既設の別体の浄水カートリッジ２２を利用することで、すでに浄水器を購入した使用者もしくは浄水器を購入する使用者が、アパプタ２７とイオン水生成装置本体１を別途購入すれば、その浄水器を無駄にすることなく利用して、さらにアルカリイオン水（または酸性水）を得ることができるのである。そのため、浄水器を購入している使用者や浄水器を購入しようとしている使用者が、さらにイオン水生成の機能だけを追加したいときに低コストで購入することができ、イオン水生成器へのシステムアップに伴う作業も簡単なので、購入意欲を促進させることができる。
【００４９】
　次に、具体的に台所に本発明のイオン水生成装置本体１を設置した場合の使用状態を図に基づき説明する。図５乃至図９は、浄水器から分岐した通水管を接続したイオン水生成器１をシンク近傍のバックハンガー側である幅の狭いスペースに配置した例である。なお、いずれも操作部２が上方に向いているため、前方の側面１５に図４（Ｂ）に示すような操作部２の表示シール２ａをさらに貼付してもよい。この場合、操作部２が見えなくとも、表示シール２ａを手がかりに操作部２の操作ボタン３を押すことができる。図１０および図１１は、イオン水生成装置本体１をそれぞれ図３および図２に示すような設置の方法で台所のシンク２６の後方の出窓カウンター２５に配置している。なお、図５乃至１１のいずれもイオン水生成装置本体１の接手１０に捨水管１２を接続している。
【００５０】
　また、イオン水供給管４もシンク２６に向かって配置されている。特に図８以外の図５乃至７などに示すイオン水生成器１の場合、イオン水供給管４は側面１６に対して突設部５が回転自在となって斜め（４５度）方向に向いている構成となっている。そのため、使用するシンク２６側に突設部５を向ける突設部５に連設したフレキシブルホース６をシンク２６内に向けることができる。つまり、突設部５が回転自在でしかも斜め方向に向いているため、イオン水生成装置本体１の設置形態（向き）を変えても、フレキシブルホース６は常に突設部５からシンク２６までを短い距離長でよく、必要以上に長くする必要がない。そのため、フレキシブルホース６の軌跡は緩やかとなり、台所使用時にフレキシブルホース６が邪魔になることがない。さらに、この場合、イオン水供給管４を操作部２と同一側面１６に設けているので、操作部２の側面１６以外の５面１５、１７、１８、１９，２０を設置面とすることができる。
【００５１】
　また、図８に示すイオン水生成装置本体１の場合、イオン水供給管４は操作部２を有する側面１６に隣接する幅狭の短手の側面１７の操作部２よりに設けている。特に、側面１７に突設部５を回転自在に設け、フレキシブルホースをその突設部５から９０度向きを変えて設けているため、設置の形態に合わせて、回転させて、フレキシブルホース６をシンク２６内に設けることができる。この場合も、フレキシブルホース６は常に突設部５からシンク２６までを短い距離長でよく、必要以上に長くする必要がない。そのため、フレキシブルホース６の軌跡は緩やかとなり、台所使用時にフレキシブルホース６が邪魔になることがない。
【００５２】
　次に、図１０は、台所の出窓カウンター２５などに図３に示すような設置の方法で台所に配置した使用状態を示す。この場合、上方の側面２０を台所の備品を置くスペースとして利用することができる。この場合も、操作部２は使用者側の前方に向けて、イオン水生成装置本体１を配置することができる。また、イオン水供給管４もシンク２６側に向けて利用することができるので、フレキシブルホース６を必要以上に長くする必要がなく、台所使用時にフレキシブルホース６が邪魔になることがない。また、水栓（図示せず）からの水供給用の導入口７と捨水を排水するための導出口８を設置に合わせて、幅狭の側面１７側とすることができる。そのため、浄水供給管１１や捨水管１２が邪魔となることもなく、また、がたつかないように安定して幅広の側面１５を設置面としてイオン水生成装置本体１を設置できるとともに、上方の側面２０の全面を備品載置スペースとして利用することができる。
【００５３】
　さらに、図１１は、台所の出窓カウンター２５などに図２に示すような設置の方法で台所に配置した使用状態を示す。設置面の幅寸法が取れない場合には、このように縦型に配置して利用することができる。この場合も、操作部２は使用者側の前方に向けて、イオン水生成装置本体１を配置することができる。また、イオン水供給管４もシンク２６側に向けて利用することができるので、フレキシブルホース６を必要以上に長くする必要がなく、台所使用時にフレキシブルホース６が邪魔になることがない。また、水栓（図示せず）からの水供給用の導入口７と捨水を排水するための導出口８を設置に合わせて、幅広の側面２０側とすることができる。そのため、浄水供給管１１や捨水管１２が邪魔となることもない。また、設置面として、幅狭の側面１７を選択しても、その側面１７には凹凸のない平面形状とすることができるため、がたつかないように安定してイオン水生成装置本体１を設置することができる。
【００５４】
　次に、図１２にて、イオン水生成装置本体１の内部構造を示している。さらに、図１３に、吐水管の先端に取付ける切替弁と浄水カートリッジを備えた浄水器の浄水機能を利用した場合のイオン水生成装置本体１のブロック図を示す。水道水を湯水混合栓２３の先端に設けた浄水カートリッジ付きの切換弁３３で湯水混合栓２３の吐水管３７から吐水するかイオン水生成装置本体１に分水するかを選択する。そして、イオン水生成装置本体１側に分水した場合、その分水を浄水カートリッジ２２を介してイオン水生成装置本体１の本体内に搬送する。さらに、操作部２で設定された情報を制御部３２に送り、この制御部３２からの信号を受け、水温サーミスタで温度を検知し、さらに流量センサで流量を検知し、さらにカルシウムの添加口１３を経由して、電解槽３０に水を供給する。そして、この電解槽３０で水を電解し、アルカリイオン水または酸性水がイオン水供給管４より放出される。そして、そのときに発生した不要な水を捨水管１２で排水する。なお、図は、イオン水生成装置本体１をイオン水供給管４から吐水する場合を示している。
【００５５】
　さらに、本発明に利用されるイオン水生成装置本体１に設ける電解槽３０は、無隔膜電解槽を採用することが好ましい。これにより、供給電力が小さくで済み、電源基板（トランス）３１のサイズをコンパクトにすることができるため、イオン水生成装置本体１をより薄型にすることができるのである。本発明のイオン水生成装置本体１は、約４０ｍｍという薄型を実現することが可能となった。そのため、上述したようにほとんどの台所に制約なく設置することができる。また、隔膜ありの場合は、水を電解するためには無隔膜電解槽に比べ供給電力を多く必要とするため、電源基板（トランス）が大きくなる。そのため、この電源基板をイオン水生成器の本体とは別体に設けることで、本体の薄型を実現することができる。
【００５６】
　上述した本実施例においては操作部９と電源コードを異なる平面上に構成しているが、設置面の自由度を向上させる目的で同一平面上に構成することも可能であることは言うまでも無い。
【図面の簡単な説明】
【００５７】
【図１】本発明における一実施の形態であるイオン水生成器を示す。
【図２】図１のイオン水生成器の縦長に設置した場合の斜視図を示す。
【図３】図１のイオン水生成器の幅広の側面を設置面とした場合の斜視図を示す。
【図４】図１、図２および図３の操作部の表示を示す。
【図５】浄水器本体内に浄水カートリッジを内蔵した浄水器専用水栓を利用した場合の使用状態を示す。
【図６】湯水混合水栓に浄水器を取付けて浄水専用の吐水管を設けた浄水器一体型の湯水混合水栓を利用した場合の使用状態を示す。
【図７】浄水器本体内に浄水カートリッジを内蔵した浄水器専用水栓を利用した場合の使用状態を示す。
【図８】湯水混合水栓に浄水器を取付けて浄水専用の吐水管を設けた浄水器一体型の湯水混合水栓を利用した場合の使用状態を示す。
【図９】台所のキャビネット内に浄水カートリッジを収納しこの浄水カートリッジとは別体に設置された浄水専用水栓を利用した場合の使用状態を示す。
【図１０】イオン水生成器を台所の出窓カウンターに図３のように設置した使用状態を示す。
【図１１】イオン水生成器を台所の出窓カウンターに図２のように設置した使用状態を示す。
【図１２】図１のイオン水生成器の内部構造を示す。
【図１３】吐水管の先端に取付ける切替弁と浄水カートリッジを備えた浄水器の浄水機能を利用した場合のイオン水生成器のブロック図を示す。
【図１４】アダプタ詳細図を示す。
【図１５】アダプタ詳細図を示す。
【図１６】従来のイオン水生成器の使用状態を示す。
【図１７】従来の浄水器の使用状態を示す。
【符号の説明】
【００５８】
　　　１　イオン水生成装置本体
　　　２　操作部
　　　３　操作ボタン
　　　４　イオン水供給管
　　　５　突設部
　　　６　フレキシブルホース
　　　７　導入口
　　　８　導出口
　　　９　塞ぎ蓋
　　　１０　接手
　　　１１　浄水供給管
　　　１２　捨水管
　　　１３　添加口
　　　１４　取付部
　　　１５　幅広の一側面
　　　１６　幅狭（長手）の一側面
　　　１７　幅狭（短手）の一側面
　　　１８　幅狭（長手）の他側面
　　　１９　幅狭（短手）の他側面
　　　２０　幅広の他側面
　　　２１　電源コード
　　　２２　浄水カートリッジ
　　　２３　湯水混合水栓
　　　２４　水栓器具胴部
　　　２４Ａ　浄水カートリッジ内蔵水栓
　　　２４Ｂ　ビルトイン専用水栓器具
　　　２５　出窓カウンター
　　　２６　シンク
　　　２６Ａ　シンク台上
　　　２７　アダプタ
　　　２７ａ　ホース継手
　　　２７ｂ　ホース継手
　　　２７ｃ　塞蓋
　　　２７ｄ　吐水管接続口
　　　２７ｅ　接続管
　　　２７ｆ　袋ナット
　　　２７ｇ　浄水通路
　　　２７ｈ　イオン水通路
　　　２８　アダプタ
　　　３０　電解槽
　　　３１　電源基板
　　　３２　制御部
　　　３３　切替弁
　　　３４　電源
　　　３５　イオン水供給管
　　　３６　水用止水栓
　　　３７　吐出管
　　　３８　お湯用止水栓
　　　３９　水用分岐金具
　　　１００　従来のイオン水生成器
【図１】
2004114035.tif 000003
【図２】
2004114035.tif 000004
【図３】
2004114035.tif 000005
【図４】
2004114035.tif 000006
【図５】
2004114035.tif 000007
【図６】
2004114035.tif 000008
【図７】
2004114035.tif 000009
【図８】
2004114035.tif 000010
【図９】
2004114035.tif 000011
【図１０】
2004114035.tif 000012
【図１１】
2004114035.tif 000013
【図１２】
2004114035.tif 000014
【図１３】
2004114035.tif 000015
【図１４】
2004114035.tif 000016
【図１５】
2004114035.tif 000017
【図１６】
2004114035.tif 000018
【図１７】
2004114035.tif 000019